Podtech/llm-jp-corpus-v4-ja_patent huggingface dataset:
(57)【要約】      （修正有）【課題】増髪促進作用を備えた発酵植物組成物の提供。【解決手段】増髪促進作用を備えた発酵植物組成物１は、容器２と発酵植物組成物３を含む。前記発酵植物組成物は容器２の内部収納空間に入れ、前記発酵植物組成物は、霊芝、葡萄、コーリャン、小麦、玉ねぎ、生姜、ゴボウ、アロエ、及び大根を含む。本考案は主に発酵植物組成物の機転により毛嚢の表皮細胞と深層細胞を活性化させる作用を生じさせ、並びに、容器を利用して植物の組成物に一種の密閉、長期的保存効果及び携帯、使用上での便利性を提供する。【選択図】図１
0003188871.tif 000002
【実用新案登録請求の範囲】
【請求項１】
容器と発酵植物組成物を含む増髪促進作用を備えた発酵植物組成物であって、
前記発酵植物組成物は、容器の内部収納空間に入れ、前記発酵植物組成物は、霊芝、葡萄、コーリャン、小麦、玉ねぎ、生姜、ゴボウ、アロエ、大根を含むことを特徴とする請求項１に記載の増髪促進作用を備えた発酵植物組成物。
【請求項２】
前記容器は内部収納空間を備えた袋体、瓶体、バケツ体、ケース体、マイクロカプセルであることを特徴とする請求項１に記載の増髪促進作用を備えた発酵植物組成物。
【請求項３】
前記発酵植物組成物は、バラ、山蒼子（サンソウシ）、茶樹、クマツヅラ、パチョリ、セージ、キャラソー、ブッシュカン、ローズマリー、イランイラン、ニクズク、紫檀、ダイダイ、マリーゴールド、ゲラニウム、レモンバームによって組成される少なくとも一つのグループから選択することを特徴とする請求項２に記載の増髪促進の発酵植物を含む組成物。
【請求項４】
前記バラは、蒸留工程により取得されたバラ抽出物であり、植物ホルモンとドーパミンによって形成される化合物であり、
前記アロエはアロエ抽出物或いは混合物であり、
前記生姜は、陰干しし、片状にカットするか、粒状にカットするか、細長くカットして取得された生姜であり、
前記ゴボウは、陰干しし、片状にカットするか、粒状にカットするか、細長くカットして取得されたゴボウであり、
前記大根は、陰干しし、片状にカットするか、粒状にカットするか、細長くカットして取得された大根であることを特徴とする請求項３に記載の増髪促進作用を備えた発酵植物組成物。
【請求項５】
前記発酵植物組成物は、育毛剤、シャンプー、リンス、トリートメント、ヘアミスト、眉毛保養液、睫毛保養液、軟膏、塗布剤、ムースのグループから一つのタイプを選んで製作することを特徴とする請求項４に記載の増髪促進作用を備えた発酵植物組成物。
【考案の詳細な説明】
【技術分野】
【０００１】
本考案は、増髪促進作用を備えた発酵植物組成物であり、特に毛嚢細胞を活性化する発酵植物を含む組成物に関する。
【背景技術】
【０００２】
現代人は仕事のストレスまたは外部の刺激を受けて情緒不安定を招くことがよくある。生活のリズムが不正常で徹夜や夜更かしをして睡眠不足であったり、三食の飲食が不規則で、揚げ物や刺激的なもの、スパイシーな食べ物を食べて体質の変化を生じさせている。或いは家族の遺伝により皮膚や頭皮内部の毛嚢細胞の萎縮を引き起こし、新しい毛髪を増やすことができず、間接的に皮膚や頭皮の毛髪が徐々に減り過多の抜き落ちを起こし、皮膚や頭皮は毛髪による遮蔽保護或いは保温効果を低下させ、直接太陽の光が当たって人体を害する紫外線を過度に受け、頭髪、眉毛、睫毛の外観的な減少が時には業務或いは社交上での自信欠乏を引き起こし、仕事上での能力発揮や人間関係の悪化に繋がることもある。
【考案の概要】
【考案が解決しようとする課題】
【０００３】
本考案は主に、発酵植物の組成物の機転により毛嚢の表皮細胞と深層細胞を活性化させる作用を生じさせ、並びに、容器を利用して植物の組成物に一種の密閉、長期的保存効果及び携帯、使用上での便利性を提供する。
【課題を解決するための手段】
【０００４】
増髪促進作用を備えた発酵植物組成物は、容器と発酵植物組成物を含む。前記発酵植物組成物は容器の内部収納空間に入れる。発酵植物組成物は霊芝、葡萄、コーリャン、小麦、玉ねぎ、生姜、ゴボウ、アロエ、及び大根を含む。
【考案の効果】
【０００５】
本考案の増髪促進作用を備えた発酵植物組成物は、発酵植物の組成物の機転により毛嚢の表皮細胞と深層細胞を活性化させる作用を生じさせ、並びに、容器を利用して植物の組成物に一種の密閉、長期的保存効果及び携帯、使用上での便利性を提供する効果を有する。
【図面の簡単な説明】
【０００６】
【図１】本考案の立体図である。
【考案を実施するための形態】
【０００７】
審査委員の方々に本考案の技術特徴をさらにご理解いただくために、次に、図面を参照とした具体的な実施例を示し、詳細説明を行なう。
【実施例】
【０００８】
図１に示した増髪促進作用を備えた発酵植物組成物１は、容器２と発酵工程を経た発酵植物組成物３を含む。前記発酵植物組成物３は容器２の内部収納空間に入れる。発酵植物組成物３は霊芝、葡萄、コーリャン、小麦、玉ねぎ、生姜、ゴボウ、アロエ、大根、バラ、山蒼子（サンソウシ）、茶樹、クマツヅラ、パチョリ、セージ、キャラソー、ブッシュカン、ローズマリー、イランイラン、ニクズク、紫檀、ダイダイ、マリーゴールド、ゲラニウム、レモンバームを含む。
【０００９】
バラは、蒸留工程により取得されたバラ抽出物であり、植物ホルモンとドーパミンによって形成される化合物である。アロエはアロエ抽出物である。生姜は陰干しにして取得された生姜である。ゴボウは陰干しにして取得されたゴボウである。大根は陰干しにして取得された大根である。そのうち、アロエはアロエを含む混合物を使用してもよい。前記生姜は片状にカットするか、粒状にカットするか、細長くカットして取得された生姜を使用してもよく、前記ゴボウは片状にカットするか、粒状にカットするか、細長くカットして取得されたゴボウを使用してもよく、前記大根は、片状にカットするか、粒状にカットするか、細長くカットして取得された大根を使用してもよい。
【００１０】
前記容器２は缶体を使用し、発酵植物組成物３は育毛剤として製作する。前記容器２は内部収納空間を備えた袋体、瓶体、バケツ体、ケース体、マイクロカプセルであり、発酵植物組成物３はシャンプー、リンス、トリートメント、ヘアミスト、眉毛保養液、軟膏、塗布剤、ムース等の製品としても製作可能である。
【００１１】
本考案は主に、発酵植物組成物３を一部塗布或いはスプレーして使用者の皮膚或いは頭皮に接触及び染み込ませるもので、機転によって内部毛嚢の表皮細胞と深層細胞を活性化させる作用を生じさせる。また、容器２によって発酵植物組成物３を密閉し、長期的に保存する効果と携帯、使用における便利性を高める。
【００１２】
前記実施例は本考案の原理及びその効果についての説明であり、本考案に制約を加えるものではない。よって、本技術に携わる者が前記実施例に対して本考案の創作精神を逸脱せずに修正、変化を加えることは可能である。本考案は産業上の利用性、新規性、及び進歩性を備え、実用新案の要件に符合するものである故、ここに法に依拠して出願を行う。
【符号の説明】
【００１３】
１  増髪促進作用を備えた発酵植物組成物
２  容器
３  発酵植物組成物
【図１】
0003188871.tif 000003
(57)【要約】      （修正有）【課題】首周りのリングの浮力でクロール泳法と背泳ぎ泳法の呼吸時に頭部の水没を軽減して呼吸が安定し、腰のリングで下半身が下がらないことで正しいフォームで泳げる水泳補助器具を提供する。【解決手段】半円状の円柱発泡スチロールをつなげて、開閉と着脱可能な大小２つのリング状の浮き輪となし、２つのリング状浮き輪をベルトで結合して首周りと腹部周りに装着可能となす。【選択図】図１
0003188876.tif 000002
【実用新案登録請求の範囲】
【請求項１】
半円状の円柱発泡スチロールをつなげて、開閉と着脱可能な大小２つのリング状の浮き輪となし、２つのリング状浮き輪をベルトで結合して首周りと腹部周りに装着可能となすことを特徴とする水泳補助器具。
【考案の詳細な説明】
【技術分野】
【０００１】
本水泳ヘルパーを装着すると初心者の（クロールと背泳ぎ水泳時）呼吸動作が容易になり、水面に水平な体を保つ正しい泳ぎのフォームを覚えられる水泳補助具に関する。
【背景技術】
【０００２】
本水泳ヘルパーはアクア・ヌードル（水泳の浮き用の棒状発砲スチロール）を利用して、体の首と腰の周りを浮かせる補助浮き輪のヘルパーにした。
【先行技術文献】
【非特許文献】
【０００３】
【非特許文献１】アクア・ヌードル販売カタログ
【考案の概要】
【考案が解決しようとする課題】
【０００４】
本水泳ヘルパーは初心者の水泳時のクロールと背泳ぎ泳法では腕が水面上に出る時に、体の浮力が減少し頭部が沈みやすく、呼吸確保ができない水泳者の精神的・肉体的な負担が大きくなり、正しいフォームで泳げない。
【課題を解決するための手段】
【０００５】
本水泳ヘルパーは、クロールと背泳ぎ泳法の時に頭部が首のリングの浮力で顔（口）を水面上に押し上げて、呼吸する動作が容易になり、腰のリングでは下半身を浮かせることができる。
水泳補助器具は直径が２０〜４０ｃｍであり、材質は発泡ポリスチレン等の比重が０．９以下のものが好ましい。半円状とはドーナツを半割したような構造である。半円状のリングを紐で２個つないだ円形のリングが上下２つ紐でつながれた構造である。紐は綿等の繊維又合成繊維のモノフィラメントからなるのが好ましい。紐の直径は０．５〜５ｃｍが好ましい。
２つの半円状の浮き輪はそれぞれ装着時に開く構造であり開いて体に装着することが出来る。
２つのリング上浮き輪は大きさが異なり、首と胴体に装着することになる。
浮き輪は閉じたときに人体に密着するのが好ましい。
ベルトは合成繊維又は天然繊維からなる幅が２〜５ｃｍの帯状体で長さ調節はバックルを設けることで可能とする。
【考案の効果】
【０００６】
本水泳ヘルパーはクロールと背泳ぎ泳法の呼吸動作時に、首周りの浮きリングで頭部が沈むことを軽減し、呼吸が容易になり、特にクロール泳法では体を回転しながらのローリング呼吸が簡単になり、腰周りの浮きリングの浮力で下半身の沈みをなくして正しいフォームでキックし泳ぐことができる。
【図面の簡単な説明】
【０００７】
【図１】本水泳ヘルパーは水泳者の首と腰の回りを半円状の浮きをつなげて丸くリング状にしており、上下をつなげて体にフィットする形態である。
【図２】本水泳ヘルパーの装着図で首周りのリングと腰周りのリングをつなげてある。
【図３】本水泳ヘルパーを装着時のクロールと背泳ぎ泳法の横から見た形状。
【図４】本水泳ヘルパーのクロール泳法呼吸時に頭部の水没を防ぐ形状。
【考案を実施するための形態】
【０００８】
本水泳ヘルパーは、半円状の円柱発泡スチロールを2個つなげて、リング状の形成を有し、開閉及び着脱可能になるよう紐で調節し、体に密着することができ、首周りと腰周りの二つのリングが上下でつながり体の補助をする。
【実施例】
【０００９】
本水泳ヘルパーを装着するとクロール泳法では頭部が沈みにくく、体をひねりながらのローリング呼吸が容易になり、背泳ぎ泳法では頭部に水がかぶりにくく、両泳法共に下半身が下がらないで正しいフォームで泳ぐことができる。
【産業上の利用可能性】
【００１０】
本水泳ヘルパーを装着することで、安全に多くのひとがクロールの呼吸の困難さから解放され、背泳ぎも同様に呼吸が容易できれいなフォームを覚えさせる用途に用いることができる。
【図１】
0003188876.tif 000003
【図２】
0003188876.tif 000004
【図３】
0003188876.tif 000005
【図４】
0003188876.tif 000006
(57)【要約】      （修正有）【課題】余分な範囲を掘らず必要な深さまで掘り下げ、廃土の時、筒先を開いて円筒内の土を廃土することができる筒先開閉穴掘り機を提供する。【解決手段】同型２個の半円筒２，３の中心に回し棒１を置き、回し棒に固定棒４で半円筒を接続し、固定半円筒３とし、固定半円筒に誘導板５を取り付け、接続ボルト６で他の半円筒を繋ぎ開閉半円筒２とする。開閉半円筒に起動板８を設け、開閉ワイヤー７を起動板と回し棒の上部に通し、円筒にした状態で穴を掘り、その後開閉ワイヤーを引けば筒先が開くので、容易に廃土することができる。【選択図】図１
0003188879.tif 000002
【実用新案登録請求の範囲】
【請求項１】
同型2個の半円筒の中心に回し棒を置き、回し棒に固定棒で半円筒を接続し、固定半円筒
にし固定半円筒に誘導板を取り付け、接続ボルトで他の半円筒を繋ぎ開閉半円筒にし開閉
半円筒に起動板を設け、開閉ワイヤーを起動板と回し棒の上部に通し、円筒にし開閉ワイヤーを引きことで筒先が開き容易に廃土することができる特長を持った筒先開閉穴掘機。
【考案の詳細な説明】
【技術分野】
【０００１】
考案は、接地した円筒の中心の回し棒を左右交互に回し、掘り出す土を筒先を開いて
廃土する穴掘り機に関するものである。
【背景技術】
【０００２】
植林や公園の植樹の時、スコップやハンドスコップ等で掘ると必要以上に広く掘らないと用事が果たせなかった。
【考案の概要】
【考案が解決しようとする課題】
【０００３】
建設現場等の測量時の境界杭、周囲を囲う鉄パイプなど設置する時初回の打設で決まらず数回やり直すので、全数設置完了時には時間と労力の損失が大きくなる。筒先開閉穴掘り機は円筒であるので決められた線上の位置に確実に接地して,穴壁を崩壊せずに掘り下げ穴の内に使用材を建て、打設することが出来るので前述の損失を解決しようとするものである。
【課題を解決するための手段】
【０００４】
同型2個の半円筒の中心に回し棒を置き、回し棒に固定棒で半円筒を接続して固定半円筒し、固定半円筒に誘導板を取り付け、接続ボルトで他の半円筒を繋ぎ開閉半円筒にする。開閉半円筒上部に起動板を設け、起動板に開閉ワイヤーを取り付け水平に回し棒に通し上部まで伸ばし、ワイヤーを引くことで円筒の筒先が開く。直立の状態で決められた線上の位置に円筒を接地し、円筒を左右交互に回し穴を掘り、廃土する時筒先が開き容易に廃土するので問題を解決している。
【考案の効果】
【０００５】
本考案の、筒先開閉穴掘り機は円筒で筒先に切り込み形状刃を4個所設けているので接地時も削孔時も芯ずれもなく,左右回転させながら掘るので穴壁の崩壊も防ぎ、必要な深さまで掘ることが出来るので植樹等に役に立つ。
【図面の簡単な説明】
【０００６】
【図１】筒先開閉穴掘り機の平面図
【図２】筒先開閉穴掘り機の断面図
【図３】筒先開閉穴掘り機の側面図
【図４】筒先開閉穴掘り機の筒先開放図
【図５】解放図
【考案を実施するための形態】
【０００７】
固定半円筒の誘導板に開閉半円筒をボルトで繋ぎ円筒にする。ボルトを軸に開閉半円筒
が開閉する。開閉半円筒上部に設けた起動板の開閉ワイヤーを引くことで、開閉半円筒
の筒先が開き円筒内の土を容易に廃土することが出来る。
【実施例】
【０００８】
以下、添付図面に従って一実施例を説明する。図4の6,接続ボルトを軸に開閉ワイヤー
を引くことで開閉半円筒の筒先が開き円筒内の土を容易に廃土することが出来る。
【符号の説明】
【０００９】
1  回し棒
2  開閉半円筒
3  固定半円筒
4  固定棒
5  誘導板
6  接続ボルト
7  開閉ワイヤー
8  起動板
【図１】
0003188879.tif 000003
【図２】
0003188879.tif 000004
【図３】
0003188879.tif 000005
【図４】
0003188879.tif 000006
【図５】
0003188879.tif 000007
(57)【要約】      （修正有）【課題】生活分野品で、ワンレバー水栓を温水側にして開けると、直ちに温水が出るようにした加温水パイプの構造を提供する。【解決手段】加温水パイプ１内を通る水を、ヒーター保護パイプ３内のヒーター線２で加熱昇温し、ワンレバー水栓の手前の水温を、センサー８でキャッチしてコントローラー７で調整ならしめる。【選択図】図１
0003188846.tif 000002
【実用新案登録請求の範囲】
【請求項１】
金属でつくった加温水パイプ（１）の内部に、加熱ヒーター線（２）を、金属でつくった保護パイプ（３）で保護して挿入し、ワンレバー水栓（６）に連なる給湯器出口温水ライン（４）に、パイプソケット（５）で連結し、加温水パイプ（１）内の水を、温度調整コントローラー（７）で設定温度に加熱調整ならしめ、ワンレバー水栓（６）へその温水が流れるようにした加温水パイプの構造。
【考案の詳細な説明】
【技術分野】
【０００１】本考案は、生活分野品で、図１のワンレバー水栓６を温水側にして開けると、直ちに温水が出るようにした加温水パイプ１に関するものである。
【考案の概要】
【考案が解決しようとする課題】
【０００２】従来、水道のワンレバー水栓６を温水側にして開けても、最初は冷たい水が出て冬は苦痛である。
給湯器の温水が浄水ユニットの出口１１に届く迄の冷水は廃棄せねばならず、無駄使いになっている。これを加温水パイプ１を設置して解決しようとするものである。
【課題を解決するための手段】
【０００３】加温水パイプ１内を通る水を、ヒーター保護パイプ３内のヒーター線２で加熱昇温し、ワンレバー水栓６の手前の水温をセンサー８でキャッチして、コントローラー７で調整ならしめる。このようにして出来た温水を直ちに流出して問題点を解決している。
【考案の効果】
【０００４】温水の肌触りは快適である
希望温度に温度コントローラー７で調整しているので、温水の肌さわりは良い。【０００５】水の無駄使いが上述の様に無くなる
ワンレバー水栓６を温水側にして開けると、加温水パイプ１の中で暖められていた温水が直ぐに出るので、廃棄する冷たい水が無くなり無駄がなくなる。【０００６】加熱用電力の無駄はない
給湯器の湯が到着する迄加温水パイプ１の加熱作用は継続するが、給湯器の湯が届くと、湯温をセンサー８がキャッチして、温度調整コントローラー７の設定温度以上であれば、加温水パイプ１の加温は停止する。従って加熱用電力の不必要な使用はない。
【図面の簡単な説明】
【０００７】
【図１】  本考案の加温水パイプ一部切欠断面図  １は加温水パイプ、２は加熱ヒーター線、３は保護パイプ、４は給湯器出口温水ライン、５はパイプソケット、７は温度調整コントローラー、８はセンサー、９は電気抵抗器、１０は電気プラグ
【図２】  図１  Ａ−Ａ断面図
【図３】  ワンレバー水栓正面図  ６はワンレバー水栓、１１は浄水ユニット
【考案を実施するための形態】
【０００８】金属でつくった加温水パイプの内部に、加熱ヒーター線を、金属でつくった保護パイプで保護して挿入し、ワンレバー水栓に連なる給湯器出口温水ラインに、パイプソケットで連結する。
【実施例】
【０００９】加温水パイプ１を金属でつくる。加温水パイプ１の内部に加熱ヒーター線２を、金属でつくった保護パイプ３で保護して挿入し、ワンレバー６に連なる給湯器出口温水ライン４に、パイプソケット５で連結する。
加温水パイプ１内の水を、温度調整コントローラー７で設定温度に加熱調整ならしめ、ワンレバー水栓６へその温水が流れるようにする。
【図１】
0003188846.tif 000003
【図２】
0003188846.tif 000004
【図３】
0003188846.tif 000005
(57)【要約】      （修正有）【課題】携帯電話やスマートホンのイヤホンとマイクをいつでも、どこでも便利に使用でき、カードホールダー用ネックストラップに取り付けられるコードリールを提供する。【解決手段】イヤホン２及びマイク３のコードリール１と、プラグ５のコードリールと、さらにカードホールダー用のネックストラップ９にも接続出来るコードリールの３つを３連独立に取り付ける。【選択図】図１
0003188824.tif 000002
【実用新案登録請求の範囲】
【請求項１】
コードリールのリールをイヤホン及びマイク、プラグ、そしてネックストラップに取り付けられるように３連独立したコードリール。
【考案の詳細な説明】
【技術分野】
【０００１】本考案はイヤホンとマイクを色々な仕様の且つ個人の好みのカードホールダー用ネックストラップに取り付けて、いつでもどこでも使用が便利なことが特徴の３連独立コードリール。
【背景技術】
【０００２】従来のイヤホンコードリールはイヤホンコードとプラグコードがそれぞれ２連独立されたものが提案されている。【０００３】しかしながら、この提案は多くの企業、公共団体、学校、そして一般個人が必需品として、更に種々の仕様、デザインをしているカードホールダー用のネックストラップに取りつけるという発想がない、という欠点があった。
【先行技術文献】
【０００４】
【特許文献１】  特許公開２００５−５１８０５
【考案の概要】
【考案が解決しようとする課題】
【０００５】  本考案は、以上のような従来の欠点に鑑み、イヤホンとマイクをいつでも、どこでも便利なに使用できるなお且つ、カードホールダー用ネックストラップに取り付けられるコードリールを提供することにある。
【課題を解決するための手段】
【０００６】本考案の３連独立コードリールはイヤホン及びマイクのコードリールとプラグのコードリールにさらにカードホールダー用のネックストラップにも接続出来るコードリール、即ち３連独立のコードリールを一体にしたことを特徴とする。【０００７】  また、本考案の３連独立コードリールはイヤホン及びマイクのコードとプラグのコードを別々に取り出すことが出来るのでそれぞれの長さを別々に調節できることを特徴とする。
【考案の効果】
【０００８】本考案の３連独立コードリールはネックストラップに接続でき、首に掛けられることができるため、イヤホン及びマイクを使用しない時でも聞き取り部分はスマートに収納でき、聞き取る場合直ぐに耳に差し込める利便性を有している。【０００９】また、携帯電話やスマートフオンのヘビーユーザーは手にもって相手と会話すると例えば運転やパソコン操作等が出来ず非常に不便を感じていることが、両手が自由に使えるので不便さを解消できる。【００１０】又、プラグ差し込み部分も独立しているため、携帯電話やスマートフオン本体をズボンのポケットや机の上等耳から遠く離れた所に置くことが出来る便利性を持っている。【００１１】本考案は多くの企業、公共団体、学校、そして一般個人が必需品として、更に種々の仕様、デザインのカードホールダー用のネックストラップに取りつけることが可能であり、しかも、長さを自在に調整することができる。
又複数のネックストラップを持っている人も、取り外しが容易なので各自の好みのネックストラップに短時間で取り替えることができる。
【図面の簡単な説明】
【００１２】
【図１】  本考案の３連独立コードリールをネックストラップの取り付けた図である。
【図２】  本考案構造を示す斜視である。
【考案を実施するための形態】
【００１３】以下本考案を実施の形態を図に基づいて説明する。
【００１４】図１
【００１５】本考案の３連独立コードリールはイヤホン及びマイクのコードリールとプラグのコードリール、さらにカードホールダー用のネックストラップにも接続出来るコードリールを持つ。即ち３つのそれぞれした独立のコードリールを取り付けたことを特徴とする。
【００１６】携帯電話やスマートフオンのヘビーユーザーは手にもつて相手と会話すると例えば運転やパソコン操作等が出来ず非常に不便を感じていることが、両手が自由に使えるので不便さを解消できる。
【００１７】多くの企業、公共事業所、学校、そして一般個人が必需品として、更に種々の仕様、デザインのカードホールダー用のネックストラップに取りつけることが可能であり、しかも、長さを自在に調整することができる。
又複数のネックストラップを持っている人も、取り外しが容易なので各自の好みのネックストラップに短時間で取り替えることができる。
【産業上の利用可能性】
【００１８】本考案はイヤホン製造、音響製品製造産業等で利用される。
【符号の説明】１  コードリール
２  イヤホン
３  マイク
４  イヤホンコード
５  プラグ
６  プラグコード
７  マツバ紐
８  マツバ紐コード
９  ネックストラップ
１０  ３連コードを繋ぐ支柱
【図１】
0003188824.tif 000003
【図２】
0003188824.tif 000004
【手続補正書】
【提出日】平成25年11月13日(2013.11.13)
【手続補正１】
【補正対象書類名】実用新案登録請求の範囲
【補正対象項目名】全文
【補正方法】変更
【補正の内容】
【実用新案登録請求の範囲】
【請求項１】
イヤホーン及びマイクのコードリールと、プラグのコードリールと、ネックストラップに接続できるコードリールとを３連独立に取り付けたことを特徴とする３連独立コードリール。
(57)【要約】      （修正有）【課題】水泳用ゴーグルに耳せんを付ける事により、耳せん忘れの防止と、忘れる事による、経済的、時間的、身体的負担を防止した耳せん付水泳用ゴーグルを提供する。【解決手段】水泳用ゴーグルと、水泳用ゴーグルと一体化したヒモに付けられた耳せんとからなることを特徴とする。【選択図】図１
0003188825.tif 000002
【実用新案登録請求の範囲】
【請求項１】
眼と耳を同時に水から守る利便性を追求したものです。水泳用ゴーグルに耳せんを付ける事により、耳せんを自宅等に忘れる事への防止と、忘れた事による耳に水が入って困る身体的負担と、現場（海水浴場・プール施設・スポーツジム等）での、再度購入する経済的負担と、現場で耳せんの販売所を探す、時間的負担・ロスを防止します。
【考案の詳細な説明】
【技術分野】
【０００１】  本考案は、水泳用ゴーグルに耳せんを設けたものである。
【背景技術】
【０００２】  水泳をする時、ゴーグルは持って来るが、耳せんはつい自宅に忘れてしまい、耳に水が入って困る事がある為。
【考案の概要】
【考案が解決しようとする課題】
【０００３】  水泳用ゴーグルは、海水浴場やプールには持って来ますが、耳せんまではつい忘れがち。耳に水が入って身体的に困る事と、海水浴場等の現場で、再度耳せんを購入する経済的負担と、現場で耳せん販売所を探す時間的ロスを解決し、耳せんその物の、忘れてくる事を解決する。
【課題を解決するための手段】
【０００４】  本考案は、水泳用ゴーグルに耳せんを付ける事により、耳せんの持ち忘れを防止し、再度プール場や、海水浴場等で耳せんを購入する経済的負担と、耳せんの販売場所を探す、時間的負担・ロスを防止する事を解決する手段である。
【図面の簡単な説明】
【０００５】
【図１】本考案の耳せん付水泳用ゴーグルの一実施例を示す正面図である。
【図１】
0003188825.tif 000003
【手続補正書】
【提出日】平成25年11月15日(2013.11.15)
【手続補正１】
【補正対象書類名】実用新案登録請求の範囲
【補正対象項目名】全文
【補正方法】変更
【補正の内容】
【実用新案登録請求の範囲】
【請求項１】
水泳用ゴーグルと、前記水泳用ゴーグルと一体化したヒモに付けられた耳せんとからなることを特徴とする耳せん付水泳用ゴーグル。
(57)【要約】【課題】自動車の乗員全員がシ−トベルトを装着しないとエンジンがかからない装置を組み込んだ自動車を提供する。【解決手段】  自動車のシ−ト全部に１の重量センサ−を取り付け、座っているという情報を感知した場合接続線２を介して前記乗員が座っている場所のシ−トベルトバックルに送る。乗員が座っているシ−トベルト全てのバックルが装着された状態の時３の接続線を介してセルモ−タ−のスイッチのロックが解除され、セルモ−タ−を回しエンジンをかけることができる。【選択図】図１
0003188827.tif 000002
【実用新案登録請求の範囲】
【請求項１】
自動車の全部のシ−トに重量センサ−を設け、どのシ−トに乗員がいるか感知させ、その情報を各シ−トにあるシ−トベルトのバックルに接続線を介して伝え、前記バックルが各乗員全部装着された場合のみ、接続線を介してセルモ−タ−のスイッチのロックが解除され、セルモ−タ−を回してエンジンをかけることができることを特徴とする自動車のシ−トベルト装着忘れ防止装置。
【考案の詳細な説明】
【技術分野】
【０００１】  本考案は、自動車に乗車する人全員がシ−トベルトを装着しないと運転できなくするというシ−トベルトに関するものである。
【背景技術】
【０００２】  運転席と助手席のシ−トベルト装着率は上がって、事故時の負傷程度が軽くなるという効果が出ているにも拘らず、後部座席のシ−トベルト装着率は低く啓発も効果を上げていない。
【考案の概要】
【考案が解決しようとする課題】
【０００３】  乗車している人全員にシ−トベルトを装着させる。
【課題を解決するための手段】
【０００４】  本考案は、乗車している全員がシ−トベルトを装着したことを感知しないと、自動車のセルモ−タ−が回らないような仕組みを作る。
【考案の効果】  運転中の車が高速道路で追突された場合、後部座席の者がシ−トベルトをしていないと、前面のガラスまで飛んで激突したり、飛ぶ際に自身が凶器となり同乗者を傷つけたりするという実験結果が出ている。また、運転中の車が急ブレ−キを掛けた場合、シ−トベルト非着用者は負傷する可能性が高いという実験結果も出ている。シ−トベルトを着用していれば防げる負傷は多く、本考案は安全性を高める上で効果的である。
【図面の簡単な説明】
【０００６】
【図１】車の座席一つひとつに人が座っているかどうか感知するために取り付けられた重量センサ−と、その場所のシ−トベルトバックルとをつなぐ接続線。
【図２】全てのシ−トベルトのバックル部と、セルモ−タ−の動作部をつなぐ接続線
【考案を実施するための形態】
【０００７】車の座席一つひとつに人が座っているかどうか感知する重量センサ−を取り付ける。それとともにシ−トベルトバックルとセルモ−タ−の動作部を接続線でつなぎ、乗車している人全員のシ−トベルトが装着された場合のみ、接続線を通じてセルモ−タ−の動作部に電流が流れセルモ−タ−が回り、エンジンを作動させることができる。
【実施例】
【０００８】  以下添付図に従って、一実施例を説明する。１は、自動車の全シ−トに設けられた重量センサ−であり、２のシ−トベルトバックルと接続線でつながっている。３は、シ−トベルトバックルと、セルモ−タ−とをつなぐ接続線である。【０００９】  まず、自動車に乗車する人がシ−トに腰掛けると、１の重量センサ−が感知する。感知した情報は２の接続線を介してそのシ−トのところのシ−トベルトバックルに送られバックルがセットされた状態の時、３の接続線を介してセルモ−タ−のロックが解除され電流を流すことができ、セルモ−タ−を回しエンジンを作動させることができる。
【符号の説明】
【００１０】１  全部のシ−トに設けられた重量センサ−
２  重量センサ−とシ−トベルトバックルをつなぐ接続線
３  シ−トベルトバックルとセルモ−タ−をつなぐ接続線
【図１】
0003188827.tif 000003
【手続補正書】
【提出日】平成25年12月5日(2013.12.5)
【手続補正１】
【補正対象書類名】明細書
【補正対象項目名】０００６
【補正方法】変更
【補正の内容】
【０００６】
【図１】図１は、車の座席一つひとつに人が座っているかどうかを感知するために取り付けられた重量センサーと、その場所のシートベルトバックルとをつなぐ接続線並びに、全てのシートベルトのバックル部と、セルモーターをつなぐ接続線である。
(57)【要約】      （修正有）【課題】従来の荷締機はフレームに角があるため、トラックの荷台のあおりにぶつかると、荷締機を下げることできなくなり、下げるために荷締機のレバーを力一杯、左右に振って、少しずつ手前に引いて来てトラックの荷台のあおりから外して、下げて締めていた。これを解決する荷締機を提供する。【解決手段】レバー４を備えたフレーム３とからなる荷締機であって、荷締機のフレーム３が荷や荷台のあおりに接触する部分に斜面部を設けた。【選択図】図１
0003188809.tif 000002
【実用新案登録請求の範囲】
【請求項１】
フレームに斜面部を設けた荷締機。
【考案の詳細な説明】
【技術分野】
【０００１】  本考案は、荷締機に関するものである。
【背景技術】
【０００２】  従来、荷締機のフレームに斜面部を設けた荷締機はなかった。
【考案の開示】
【考案が解決しようとする課題】
【０００３】  従来は次のような欠点があった。
従来の荷締機はフレームに角があるため、トラックの荷台のあおりにぶつかると、荷締機を下げることできなくなり、下げるために荷締機のレバーを力一杯、左右に振って、少しずつ手前に引いて来てトラックの荷台のあおりから外して、下げて締めていた。
本考案は、上記の欠点を除くためになされたものである。
【課題を解決するための手段】
【０００４】  荷締機のフレームに斜面部を設ける。
本考案は、以上のような構成により問題点を解決している。
【考案の効果】
【０００５】  荷締機のフレームの斜面部により、トラックの荷台のあおりにひっかかりにくいので荷締機を下げるために、荷締機のレバーを左右に振って、手前に引いて来てトラックの荷台のあおりから外すことが容易にできる。
荷締機のフレームの斜面部により、トラックの荷台のあおりにひっかかりにくいので荷締機を下げるために、荷締機のレバーを力一杯、左右に振って手前に引いて来てトラックの荷台のあおりから外して、引き下げる労力を軽減することができる。
【考案を実施するための最良の形態】
【０００６】  荷締機のフレームに斜面部を設ける。
【実施例】
【０００７】  以下、本考案の実施例について説明する。
フレーム３に斜面部１を設ける。
フレーム３に斜面部２を設ける。
斜面部１は斜面である。
斜面部２は斜面である。
斜面部１はフレーム３がトラックの荷台のあおり７に接する部分に設ける。
斜面部２はフレーム３がトラックの荷台のあおり７に接する部分に設ける。
斜面部１はフレーム３が、トラックの荷台のあおり７から外れやすくするためのものである。
斜面部２はフレーム３が、トラックの荷台のあおり７から外れやすくするためのものである。
形状、位置をいろいろにすることにより、多種多様にすることができる。
【図面の簡単な説明】
【０００８】
【図１】本考案の荷締機の左側面図である。
【図２】本考案の底面からの主要部の斜視図である。
【図３】本考案の主要部の左側面図である。
【図４】本考案の主要部の左側面図である。
【図５】本考案の底面からの主要部の斜視図である。
【図６】本考案の主要部の底面図である。
【図７】本考案の主要部の底面図である。
【図８】本考案の底面からの主要部の斜視図である。各図の各部において主要部以外は省略している。各図の各部において波線以外の部分は省略している。
【符号の説明】
【０００９】１    斜面部
２    斜面部
３    フレーム
４    レバー
５    ワイヤー
６    穴
７    トラックの荷台のあおり
【図１】
0003188809.tif 000003
【図２】
0003188809.tif 000004
【図３】
0003188809.tif 000005
【図４】
0003188809.tif 000006
【図５】
0003188809.tif 000007
【図６】
0003188809.tif 000008
【図７】
0003188809.tif 000009
【図８】
0003188809.tif 000010
【手続補正書】
【提出日】平成25年9月6日(2013.9.6)
【手続補正１】
【補正対象書類名】実用新案登録請求の範囲
【補正対象項目名】全文
【補正方法】変更
【補正の内容】
【実用新案登録請求の範囲】
【請求項１】
荷締機のフレームの下部に斜面部を設けた荷締機。
【手続補正書】
【提出日】平成25年11月7日(2013.11.7)
【手続補正１】
【補正対象書類名】実用新案登録請求の範囲
【補正対象項目名】全文
【補正方法】変更
【補正の内容】
【実用新案登録請求の範囲】
【請求項１】
レバーを備えたフレームとからなる荷締機であって、荷締機のフレームが荷や荷台のあおりに接触する部分に斜面部を設けた荷締機。
(57)【要約】      （修正有）【課題】軟弱地盤等に打設するときに土質の形状によりブレが生じることがないスクリュー鋼管杭を提供する。【解決手段】鋼管杭の先端部分と杭頭部分２カ所にスクリュー案内羽根１，２を設ける。スクリューの幅は全体で鋼管直径の４倍、鋼管杭の先端部分のスクリュー羽根１は２．５〜３巻、杭頭部分のスクリュー羽根２は２巻、スクリュー羽根の厚さは３．２ｍｍ以上とする。【選択図】図１
0003188808.tif 000002
【実用新案登録請求の範囲】
【請求項１】
・鋼管杭の先端部分と杭頭部分２カ所にスクリュー案内羽根を設ける。
・スクリューの幅は全体で鋼管本体の約４倍とする。
・スクリュー羽根は図１のように、先端部は２．５〜３巻、杭頭部分は２巻を基準とする。
・スクリュー羽根の厚さは３．２ｍ／ｍ以上とする。
【考案の詳細な説明】
【考案の概要】
鋼管杭を打設するとき、土質により多少のブレが生じる場合があるが、これを解消するために上下２重スクリュー式の鋼管杭を考案した。
【考案が解決しようとする課題】
【０００１】従来の鋼管杭は土質により地上部分に出る杭頭にブレが生じる事があった。
これを修正してさらに、杭の打込み後に地盤に密着できるように改良を行う。
【課題を解決するための手段】
【０００２】鋼管杭の先端部分と杭頭部分の２カ所にスクリュー型の案内羽根を設ける。（図１より）
図１の１により鋼管杭本体を回転することにより、推進スクリューでスムーズに地盤に貫入され地中にさらに密着されていき、２は杭頭付近地盤への支持力をさらにはかり、全体で鋼管杭を地盤面への密着を上げる事ができる。
【考案の効果】
【０００３】鋼管杭本体の約４倍幅のスクリューを上下に付けたため、掘進時の掘削土砂の流動化防止、スクリューの土質食込みによる杭の安定化等が上げられる。
従来の杭は一般的に機械打設で行ってきたが、考案の杭は回転だけで掘進していくため、騒音が押さえられて街中でも施工可能となる。
さらに、打ち込み時間も短縮できるメリットがある。
【図面の簡単な説明】
【０００４】
【図１】  改良した鋼管杭の全体図である
【符号の説明】
【０００５】１  鋼管杭先端スクリュー案内羽根部分
２  鋼管杭杭頭スクリュー案内羽根部分
【図１】
0003188808.tif 000003
【手続補正書】
【提出日】平成25年9月9日(2013.9.9)
【手続補正１】
【補正対象書類名】実用新案登録請求の範囲
【補正対象項目名】全文
【補正方法】変更
【補正の内容】
【実用新案登録請求の範囲】
【請求項１】
（１）鋼管杭の先端部分と杭頭部分２カ所にスクリュー案内羽根を設ける事を特徴とするスクリュー鋼管杭、
（２）スクリューの幅は全体で鋼管直径の約４倍とする事を特徴とするスクリュー鋼管杭、
（３）スクリュー羽根の先端部は２．５〜３巻、杭頭部分は２巻を基準とする事を特徴とするスクリュー鋼管杭、
（４）スクリュー羽根の厚さは３．２ｍｍ以上とする事を特徴とするスクリュー鋼管杭、
以上（１）〜（４）の構成からなるスクリュー鋼管杭
【手続補正書】
【提出日】平成25年11月15日(2013.11.15)
【手続補正１】
【補正対象書類名】実用新案登録請求の範囲
【補正対象項目名】全文
【補正方法】変更
【補正の内容】
【実用新案登録請求の範囲】
【請求項１】
（１）鋼管杭の先端部分と杭頭部分２カ所にスクリュー案内羽根を設ける事を特徴とするスクリュー鋼管杭、
（２）スクリューの幅は全体で鋼管直径の４倍とする事を特徴とするスクリュー鋼管杭、
（３）鋼管杭の先端部分のスクリュー羽根は２．５〜３巻、杭頭部分のスクリュー羽根は２巻とするスクリュー鋼管杭、
（４）スクリュー羽根の厚さは３．２ｍｍ以上とする事を特徴とする鋼管杭、
以上（１）〜（４）の構成からなるスクリュー鋼管杭
(57)【要約】      （修正有）【課題】自動車の乗り心地性能の向上を図ったマスダンパーを提供する。【解決手段】板ばね５とコイルスプリング６と重りからなる自動車用マスダンパーにあって、前記重りは、スペアータイヤ２、整備工具、ジャッキのいずれかか、これらの組み合わせからなることを特徴とする。これにより、余分な重量物を重りとして車両に搭載する事がなくなる。【選択図】図２
0003188831.tif 000002
【実用新案登録請求の範囲】
【請求項１】
自動車において、乗り心地性能の向上をマスダンパー機能を利用して既存のサスペンション機構の補佐を図るものである。そのマスダンパーの重りの役割を自動車の付随物であるスペアータイヤ、整備工具、ジャッキ等で代役させる事によって、マスダンパーを利用する為にわざわざ余分な重量物を搭載せずにマスダンパーシステムを利用できる物である。なお整備工具、ジャッキは重しの重量調整のために脱着可能とする。
【考案の詳細な説明】
【技術分野】
【０００１】
本考案は自動車の乗り心地性能を高める物である。
【背景技術】
【０００２】
従来の自動車はサスペンションだけで乗り心地性能の向上を図るか、わざわざ重りを積んでマスダンパーシステムを利用していた物がある。
【先行技術文献】
【特許文献】
【０００３】
【特許文献１】特許公開２０１１−１８３９８１
【考案の概要】
【考案が解決しようとする課題】
【０００４】
従来の自動車の乗り心地向上機構は主にサスペンションのスプリングとシュックアブソーバー等で路面からのショック、振動を和らげ、その目的を目指していたが、スプリングとシュックアブソーバーの硬さ調整だけでは、今以上の乗り心地向上は図れない物であった。
【０００５】
本考案は、自動車の付随物であるスペアータイヤ、整備工具、ジャッキ等をマスダンパーシステムの重しとして利用する事によって余分な重量物を重しとして搭載せずにマスダンパーシステムを利用でき、乗り心地の向上を高める目的にした物である。
【課題を解決するための手段】
【０００６】
本考案は上記目的を達成する為にスペアータイヤ、整備工具、ジャッキ等を一固まりとして、それを板ばね、コイルスプリング等を利用し、上下に自由可動できる機能を持たせるものである。
【考案の効果】
【０００７】
従来の自動車の乗り心地向上機構は主にサスペンションのスプリングとシュックアブソーバー等で路面からのショック、振動を和らげ、その目的を目指していたが、スプリングとシュックアブソーバーの硬さ調整だけではできない今以上の乗り心地の向上を大幅な車両重量の増加を抑えながらできる。
【考案を実施するための形態】
【０００８】
図１は本考案に関するマスダンパーシステムを備えた乗用車の例を示す外観図、図２は当考案の作動時の側面図。
【実施例】
【０００９】
図１のように車両停止時には板ばね１とコイルスプリング２が重しとなったスペアータイヤ、整備工具、ジャッキ等を支える。車両走行時にも路面のギャップ、でこぼこ等による車両の上下動動に連動して重しとなったスペアータイヤ、整備工具、ジャッキ等の上下の動きを板ばね１とコイルスプリング２が支える。
【図面の簡単な説明】
【００１０】
【図１】本考案に関するマスダンパーシステムを備えた乗用車の例を示した外観図である。
【００１１】
【図２】本考案に関するマスダンパーシステムの作動時の例を示した側面図である。
【符号の説明】
【００１２】
１  車体
【００１３】
２  スペアータイヤ
【００１４】
3  工具、
【００１５】
4  ジャッキ
【００１６】
５  板ばね
【００１７】
６  コイルスプリング
【００１８】
７  規制ロッド
【００１９】
９  板ばね取り付けボルト
【００２０】
１０  スペアータイヤ取り付けボルト
【図１】
0003188831.tif 000003
【図２】
0003188831.tif 000004
【手続補正書】
【提出日】平成25年11月21日(2013.11.21)
【手続補正１】
【補正対象書類名】実用新案登録請求の範囲
【補正対象項目名】請求項１
【補正方法】変更
【補正の内容】
【請求項１】
板ばねとコイルスプリングと重りからなる自動車用マスダンパーにあって、前記重りは、スペアータイヤ、整備工具、ジャッキのいずれかか、これらの組み合わせからなることを特徴とするマスダンパー。
(57)【要約】      （修正有）【課題】手軽に貼ったりはがしたりすることができて、はがした相手を汚さず、さらに何度も繰り返し貼ることができる吸着鏡を提供する。【解決手段】鏡１の裏面に接着剤または粘着材３によりアクリル発泡スポンジ２を固定する。アクリル発泡スポンジの吸着性能によって、対象物に貼り付けたりはがしたりを何度も繰り返し行うことができる。【選択図】図１
0003188415.tif 000002
【実用新案登録請求の範囲】
【請求項１】
鏡の裏面にアクリル発泡スポンジを具備する吸着鏡。
【考案の詳細な説明】
【技術分野】
【０００１】  本考案は、鏡を物体に何回も貼り付けたりはがしたりすることができる吸着鏡に関する。
【背景技術】
【０００２】  従来は、鏡を物体に貼り付けるときは、粘着剤や接着剤を鏡に塗布していた。【０００３】  また、鉄などの磁性体の物体に鏡を貼り付ける際には、鏡に磁石を具備させることによって貼り付けていた。
【考案の概要】
【考案が解決しようとする課題】
【０００４】  従来の、粘着剤や接着剤を鏡に塗布することによって鏡を物体に貼り付ける方法では、はがしたいときになかなかはがすことができないという問題点があった。【０００５】  また、粘着剤で鏡を物体に貼り付けた場合ははがすことができるが、その際、その粘着剤がはがした相手の物体に残ってしまうという問題点があった。【０００６】  また、鏡に磁石を具備させることによって物体に鏡を貼り付ける方法は、相手が鉄のような磁性体でなければならないという問題点があった。
本考案は、以上のような欠点を除くためになされたものである。
【課題を解決するための手段】
【０００７】  本考案の鏡は、鏡の裏面にアクリル発泡スポンジを具備する。このアクリル発泡スポンジが物体に吸着することによって鏡が物体に固定される。このアクリル発泡スポンジは何回も繰り返し接触した相手に吸着するという性質を持つ。【０００８】  また、本考案の鏡を貼り付ける相手は、鉄のような磁性体に限定されない。
【考案の効果】
【０００９】  本考案の鏡は、何回も貼り付けたりはがしたりができるので、貼り付ける場所を自由に変えることができるという利点がある。【００１０】  本考案の鏡を貼ることによって、例えば携帯電話やスマートフォンに貼り付けることによって、鏡を見たい時にすぐに出すことができる。携帯電話やスマートフォンは一般的にすぐに取り出しやすいところに携帯しているので、携帯電話に鏡が付いていることは便利な機能である。また身の回りの壁や窓などに貼り付けることもできるので、自由に貼り替えることができる鏡として便利に利用することができる。そして鏡をはがす際には、貼り付けた相手を汚すことが無い。
【図面の簡単な説明】
【００１１】
【図１】本考案の一実施例を示す斜視図である。
【図２】図１の側面図である。
【図３】本考案の一実施例を示す斜視図である。
【考案を実施するための形態】
【００１２】  アクリル発泡スポンジが鏡の裏に付いており、アクリル発泡スポンジの吸着性能により目的物に貼り付ける。貼り付ける相手は、スマートフォンや携帯電話が特に有効である。鏡を見たい時に、スマートフォンや携帯電話に鏡が付いていれば、すぐに鏡を見ることができる。そして、相手を汚さずに綺麗にはがれるので、貼り付けた鏡が不要になった際にはすぐにはがすことができ、そのはがした鏡を別の物体に貼ることができる。
【実施例】
【００１３】  以下、添付図面に従って一実施例を説明する。図１は本考案の吸着鏡の一実施例を示す斜視図である。鏡１の裏面にアクリル発泡スポンジ２が付いている。この吸着鏡の形は矩形であるが、丸形やハート形など形状は任意に設定できる。【００１４】  図２は図１の側面図である。アクリル発泡スポンジ２は鏡１の裏面に接着剤または粘着剤３によって固定されている。【００１５】  図３は本考案の吸着鏡の一実施例で、スマートフォンに貼りつけた状態である。スマートフォンは一般的にすぐに手に取れるように携帯しているので、貼り付けた鏡は必要な時にすぐに見ることができる。【００１６】  また、本考案の吸着鏡は何回も貼り付けたりはがしたりができるので、鏡の貼る位置を変えたり、不要になった時に取り外したりすることが簡単にできる。【００１７】  図３はスマートフォンに貼った一例であるが、携帯電話に貼っても同様に便利である。その他窓ガラスや壁や電化製品や家具など、色々なところに貼ることができ、便利に利用することができる。【００１８】  アクリル発泡スポンジ２の厚さは、０．５ミリメートルから１ミリメートル程度が適当であるが、これ以外の厚みにしてもよい。【００１９】  アクリル発泡スポンジは、そのスポンジ自体が接する相手に吸着する性能を有する。このアクリル発泡スポンジが接する相手に吸着する仕組みは、スポンジの表面部分の気泡が吸盤の役割を果たし、接する相手に吸着するというようになっている。【００２０】  アクリル発泡スポンジは軟らかいため、吸着する際に対象物を傷めない。そしてはがす際も相手を汚したり傷つけたりせずに簡単にはがすことができる。しかも貼り付けたりはがしたりを何度も繰返し行うことができる。【００２１】  この吸着の役割を果たす気泡は、直径１ミリメートル以下の非常に微細なもので、アクリル発泡スポンジの表面全面に付いている。この表面には粘着剤が付いていないため、吸着した相手を汚すことなく、しかも適度な強さで吸着する。【００２２】鏡の材質にはガラスやプラスチックなどが使われているが、鏡の材質は任意に選定してよい。
【符号の説明】
【００２３】  １  鏡
２  アクリル発泡スポンジ
３  接着剤または粘着剤
４  スマートフォン
【図１】
0003188415.tif 000003
【図２】
0003188415.tif 000004
【図３】
0003188415.tif 000005